【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
眼内薬剤送達のための統合デバイスであって、
該統合デバイスは、
該片手で操作するようにサイズ決定および成形された筐体であって、該筐体は、近位端および遠位端を有する、筐体と、
該筐体の遠位端にある接眼面と、
測定構成要素と、
少なくとも部分的に該筐体内にある導管であって、該導管は、近位端、遠位端、および自身を通る管腔を有する、導管と、
該筐体内に含有される作動機構であって、該作動機構は、該導管および活性薬剤を保持するための貯留部に動作可能に接続される、作動機構と、
該筐体に連結されるトリガであって、該トリガは、該作動機構を起動するように構成される、トリガと、
該筐体に連結される動的抵抗構成要素と
を含む、統合デバイス。
【請求項２】
前記動的抵抗構成要素は、前記筐体に連結される摺動可能要素を含む、請求項１に記載の統合デバイス。
【請求項３】
前記摺動可能要素は、近位端、遠位端、および内面を有する動的スリーブを含む、請求項２に記載の統合デバイス。
【請求項４】
前記動的スリーブの前記近位端および前記遠位端は、先細である、請求項３に記載の統合デバイス。
【請求項５】
前記先細動的スリーブおよび前記筐体は、０Ｎと約２Ｎとの間の力を生成する、請求項４に記載の統合デバイス。
【請求項６】
前記先細動的スリーブおよび前記筐体は、約０．１Ｎと約１Ｎとの間の力を生成する、請求項４に記載の統合デバイス。
【請求項７】
前記動的スリーブの前記内面は、１つ以上の高牽引摩擦表面を含む、請求項３に記載の統合デバイス。
【請求項８】
前記筐体は、１つ以上の高牽引摩擦表面を含む、請求項７に記載の統合デバイス。
【請求項９】
前記動的スリーブおよび前記筐体の前記１つ以上の高牽引摩擦表面は、０Ｎと約２Ｎの間の力を生成する、請求項８に記載の統合デバイス。
【請求項１０】
前記動的スリーブおよび前記筐体の前記１つ以上の高牽引摩擦表面は、約０．１Ｎと約１．０Ｎとの間の力を生成する、請求項８に記載の統合デバイス。
【請求項１１】
前記動的スリーブは、微細スリーブ移動度制御構成要素をさらに含む、請求項３に記載の統合デバイス。
【請求項１２】
前記接眼面は、リング、フランジ、またはそれらの組み合わせを含む、請求項１に記載の統合デバイス。
【請求項１３】
前記接眼面は、リングを含む、請求項１２に記載の統合デバイス。
【請求項１４】
前記リングは、約０．３ｍｍと約８ｍｍとの間の直径を有する、請求項１３に記載の統合デバイス。
【請求項１５】
前記接眼面は、平坦、凸状、または凹状である、請求項１に記載の統合デバイス。
【請求項１６】
前記接眼面は、１つ以上の牽引摩擦要素を含む、請求項１に記載の統合デバイス。
【請求項１７】
前記接眼面は、接着構成要素を含む、請求項１に記載の統合デバイス。
【請求項１８】
前記接着構成要素は、吸引機構を含む、請求項１７に記載の統合デバイス。
【請求項１９】
前記接眼面は、ナイロン繊維、綿繊維、ヒドロゲル、海綿状材料、発泡スチレン、他の発泡体、シリコーン、プラスチック、ポリプロピレン、ポリエチレン、ポリテトラフルオロエチレン、およびそれらの組み合わせから成る群より選択される材料を含む、請求項１に記載の統合デバイス。
【請求項２０】
前記作動機構は、手動作動機構を含む、請求項１に記載の統合デバイス。
【請求項２１】
前記手動作動機構は、プランジャの摺動可能な前進のための制御レバーを含む、請求項２０に記載の統合デバイス。
【請求項２２】
前記作動機構は、自動作動機構を含む、請求項１に記載の統合デバイス。
【請求項２３】
前記自動作動機構は、バネ荷重作動機構を含む、請求項２２に記載の統合デバイス。
【請求項２４】
前記バネ荷重作動機構は、前記活性薬剤を約１μｌ／秒から約１ｍｌ／秒までの範囲の速度で眼内空間の中に送達するように構成される、請求項２３に記載の統合デバイス。
【請求項２５】
前記バネ荷重作動機構は、前記活性薬剤を約１０μｌ／秒から約１００μｌ／秒までの範囲の速度で前記眼内空間の中に送達する、請求項２４に記載の統合デバイス。
【請求項２６】
前記バネ荷重作動機構は、約０．１Ｎから約１．０Ｎまでの力を生成する、請求項２３に記載の統合デバイス。
【請求項２７】
前記バネ荷重作動機構は、第１のバネと第２のバネとを含む、請求項２３に記載の統合デバイス。
【請求項２８】
前記第２のバネは、プランジャを配備するように、および前記活性薬剤の送達速度を制御するように構成される、請求項２７に記載の統合デバイス。
【請求項２９】
前記第１のバネは、第１の非配備状態から第２の配備状態まで前記導管を移動させるように、および該導管の配備の速度および力を制御するように構成される、請求項２７に記載の統合デバイス。
【請求項３０】
前記作動機構は、部分的に自動化された作動機構である、請求項１に記載の統合デバイス。
【請求項３１】
前記部分的に自動化された作動機構は、プランジャの摺動可能な前進のための制御レバーを含む、請求項３０に記載の統合デバイス。
【請求項３２】
前記部分的に自動化された作動機構は、バネ荷重作動機構を含む、請求項３０に記載の統合デバイス。
【請求項３３】
前記バネ荷重作動機構は、前記活性薬剤を約１μｌ／秒から約１ｍｌ／秒までの範囲の速度で眼内空間の中に送達するように構成される、請求項３２に記載の統合デバイス。
【請求項３４】
前記バネ荷重作動機構は、前記活性薬剤を約１０μｌ／秒から約１００μｌ／秒までの範囲の速度で眼内空間の中に送達する、請求項３２に記載の統合デバイス。
【請求項３５】
前記バネ荷重作動機構は、約０．１Ｎから約１．０Ｎまでの力を生成する、請求項３２に記載の統合デバイス。
【請求項３６】
前記バネ荷重作動機構は、第１のバネと第２のバネとを含む、請求項３２に記載の統合デバイス。
【請求項３７】
前記第２のバネは、プランジャを配備するように、および前記活性薬剤の送達速度を制御するように構成される、請求項３６に記載の統合デバイス。
【請求項３８】
前記第１のバネは、前記導管を第１の非配備状態から第２の配備状態まで移動させるように、および該導管の配備の速度および力を制御するように構成される、請求項３６に記載の統合デバイス。
【請求項３９】
前記作動機構は、空気圧式作動機構である、請求項１に記載の統合デバイス。
【請求項４０】
前記活性薬剤は、ステロイド性抗炎症薬、非ステロイド性抗炎症薬、抗感染薬、抗アレルゲン剤、コリン拮抗薬および作動薬、アドレナリン拮抗薬および作動薬、抗緑内障薬、神経保護薬、白内障予防または治療用の薬剤、抗増殖剤、抗腫瘍薬、補体阻害剤、ビタミン、成長因子、成長因子を阻害する薬剤、遺伝子治療ベクトル、化学療法剤、タンパク質キナーゼ阻害剤、低分子干渉ＲＮＡ、それらの類似体、誘導体、および修飾物、ならびにそれらの組み合わせから成る群より選択される、請求項１に記載の統合デバイス。
【請求項４１】
前記活性薬剤は、ラニビズマブ、ベバシズマブ、ペガプタニブ、デキサメタゾン、デキサメタゾンリン酸ナトリウム、トリアムシノロン、トリアムシノロンアセトニド、フルオシノロン、タキソール様薬剤、アフリバーセプト、酢酸アネコルタブ、およびリムス族化合物から成る群より選択される、請求項１に記載の統合デバイス。
【請求項４２】
前記リムス族化合物は、シロリムス、ＳＤＺ−ＲＡＤ、タクロリムス、エベロリムス、ピメクロリムス、ゾタロリムス、ＣＣＩ−７７９、ＡＰ２３８４１、およびＡＢＴ−５７８、それらの類似体、誘導体、複合体、塩、および修飾物、ならびにそれらの組み合わせから成る群より選択される、請求項４１に記載の統合デバイス。
【請求項４３】
前記貯留部は、環状オレフィン系樹脂でできている、請求項１に記載の統合デバイス。
【請求項４４】
前記貯留部は、シリコーン油またはその誘導体のうちの１つを欠いている、請求項４０に記載の統合デバイス。
【請求項４５】
前記測定構成要素は、前記接眼面に取り付けられる、請求項１に記載の統合デバイス。
【請求項４６】
前記測定構成要素は、１つ以上の半径方向に延在する部材を含む、請求項１に記載の統合デバイス。
【請求項４７】
前記１つ以上の半径方向に延在する部材は、高くなった遠位先端を含む、請求項４６に記載の統合デバイス。
【請求項４８】
前記１つ以上の半径方向に延在する部材は、可撓性である、請求項４６に記載の統合デバイス。
【請求項４９】
前記測定構成要素は、位置指示器構成要素を含む、請求項４８に記載の統合デバイス。
【請求項５０】
前記貯留部は、前記活性薬剤を事前装填されている、請求項１に記載の統合デバイス。
【請求項５１】
前記動的スリーブの前記近位端および遠位端のうちの１つは、先細である、請求項３に記載の統合デバイス。
【手続補正２】
【補正対象書類名】明細書
【補正対象項目名】０００１
【補正方法】変更
【補正の内容】
【０００１】
（関連出願の相互参照）
本願は、米国仮特許出願第６１／３４１，５８２号（２０１０年３月３１日出願）、および米国仮特許出願第６１／３８４，６３６号（２０１０年９月２０日出願）の優先権を主張し、これらの出願の各々は、その全体が本明細書に参照によって援用される。
【手続補正３】
【補正対象書類名】明細書
【補正対象項目名】０００８
【補正方法】変更
【補正の内容】
【０００８】
本発明は、例えば、以下を提供する：
（項目１）
眼内薬剤送達のための統合デバイスであって、
該統合デバイスは、
該片手で操作するようにサイズ決定および成形された筐体であって、該筐体は、近位端および遠位端を有する、筐体と、
該筐体の遠位端にある接眼面と、
測定構成要素と、
少なくとも部分的に該筐体内にある導管であって、該導管は、近位端、遠位端、および自身を通る管腔を有する、導管と、
該筐体内に含有される作動機構であって、該作動機構は、該導管および活性薬剤を保持するための貯留部に動作可能に接続される、作動機構と、
該筐体に連結されるトリガであって、該トリガは、該作動機構を起動するように構成される、トリガと、
該筐体に連結される動的抵抗構成要素と
を含む、統合デバイス。
（項目２）
前記動的抵抗構成要素は、前記筐体に連結される摺動可能要素を含む、項目１に記載の統合デバイス。
（項目３）
前記摺動可能要素は、近位端、遠位端、および内面を有する動的スリーブを含む、項目２に記載の統合デバイス。
（項目４）
前記動的スリーブの前記近位端および前記遠位端は、先細である、項目３に記載の統合デバイス。
（項目５）
前記先細動的スリーブおよび前記筐体は、０Ｎと約２Ｎとの間の力を生成する、項目４に記載の統合デバイス。
（項目６）
前記先細動的スリーブおよび前記筐体は、約０．１Ｎと約１Ｎとの間の力を生成する、項目４に記載の統合デバイス。
（項目７）
前記動的スリーブの前記内面は、１つ以上の高牽引摩擦表面を含む、項目３に記載の統合デバイス。
（項目８）
前記筐体は、１つ以上の高牽引摩擦表面を含む、項目７に記載の統合デバイス。
（項目９）
前記動的スリーブおよび前記筐体の前記１つ以上の高牽引摩擦表面は、０Ｎと約２Ｎの間の力を生成する、項目８に記載の統合デバイス。
（項目１０）
前記動的スリーブおよび前記筐体の前記１つ以上の高牽引摩擦表面は、約０．１Ｎと約１．０Ｎとの間の力を生成する、項目８に記載の統合デバイス。
（項目１１）
前記動的スリーブは、微細スリーブ移動度制御構成要素をさらに含む、項目３に記載の統合デバイス。
（項目１２）
前記接眼面は、リング、フランジ、またはそれらの組み合わせを含む、項目１に記載の統合デバイス。
（項目１３）
前記接眼面は、リングを含む、項目１２に記載の統合デバイス。
（項目１４）
前記リングは、約０．３ｍｍと約８ｍｍとの間の直径を有する、項目１３に記載の統合デバイス。
（項目１５）
前記接眼面は、平坦、凸状、または凹状である、項目１に記載の統合デバイス。
（項目１６）
前記接眼面は、１つ以上の牽引摩擦要素を含む、項目１に記載の統合デバイス。
（項目１７）
前記接眼面は、接着構成要素を含む、項目１に記載の統合デバイス。
（項目１８）
前記接着構成要素は、吸引機構を含む、項目１７に記載の統合デバイス。
（項目１９）
前記接眼面は、ナイロン繊維、綿繊維、ヒドロゲル、海綿状材料、発泡スチレン、他の発泡体、シリコーン、プラスチック、ポリプロピレン、ポリエチレン、ポリテトラフルオロエチレン、およびそれらの組み合わせから成る群より選択される材料を含む、項目１に記載の統合デバイス。
（項目２０）
前記作動機構は、手動作動機構を含む、項目１に記載の統合デバイス。
（項目２１）
前記手動作動機構は、プランジャの摺動可能な前進のための制御レバーを含む、項目２０に記載の統合デバイス。
（項目２２）
前記作動機構は、自動作動機構を含む、項目１に記載の統合デバイス。
（項目２３）
前記自動作動機構は、バネ荷重作動機構を含む、項目２２に記載の統合デバイス。
（項目２４）
前記バネ荷重作動機構は、前記活性薬剤を約１μｌ／秒から約１ｍｌ／秒までの範囲の速度で眼内空間の中に送達するように構成される、項目２３に記載の統合デバイス。
（項目２５）
前記バネ荷重作動機構は、前記活性薬剤を約１０μｌ／秒から約１００μｌ／秒までの範囲の速度で前記眼内空間の中に送達する、項目２４に記載の統合デバイス。
（項目２６）
前記バネ荷重作動機構は、約０．１Ｎから約１．０Ｎまでの力を生成する、項目２３に記載の統合デバイス。
（項目２７）
前記バネ荷重作動機構は、第１のバネと第２のバネとを含む、項目２３に記載の統合デバイス。
（項目２８）
前記第２のバネは、プランジャを配備するように、および前記活性薬剤の送達速度を制御するように構成される、項目２７に記載の統合デバイス。
（項目２９）
前記第１のバネは、第１の非配備状態から第２の配備状態まで前記導管を移動させるように、および該導管の配備の速度および力を制御するように構成される、項目２７に記載の統合デバイス。
（項目３０）
前記作動機構は、部分的に自動化された作動機構である、項目１に記載の統合デバイス。
（項目３１）
前記部分的に自動化された作動機構は、プランジャの摺動可能な前進のための制御レバーを含む、項目３０に記載の統合デバイス。
（項目３２）
前記部分的に自動化された作動機構は、バネ荷重作動機構を含む、項目３０に記載の統合デバイス。
（項目３３）
前記バネ荷重作動機構は、前記活性薬剤を約１μｌ／秒から約１ｍｌ／秒までの範囲の速度で眼内空間の中に送達するように構成される、項目３２に記載の統合デバイス。
（項目３４）
前記バネ荷重作動機構は、前記活性薬剤を約１０μｌ／秒から約１００μｌ／秒までの範囲の速度で眼内空間の中に送達する、項目３２に記載の統合デバイス。
（項目３５）
前記バネ荷重作動機構は、約０．１Ｎから約１．０Ｎまでの力を生成する、項目３２に記載の統合デバイス。
（項目３６）
前記バネ荷重作動機構は、第１のバネと第２のバネとを含む、項目３２に記載の統合デバイス。
（項目３７）
前記第２のバネは、プランジャを配備するように、および前記活性薬剤の送達速度を制御するように構成される、項目３６に記載の統合デバイス。
（項目３８）
前記第１のバネは、前記導管を第１の非配備状態から第２の配備状態まで移動させるように、および該導管の配備の速度および力を制御するように構成される、項目３６に記載の統合デバイス。
（項目３９）
前記作動機構は、空気圧式作動機構である、項目１に記載の統合デバイス。
（項目４０）
前記活性薬剤は、ステロイド性抗炎症薬、非ステロイド性抗炎症薬、抗感染薬、抗アレルゲン剤、コリン拮抗薬および作動薬、アドレナリン拮抗薬および作動薬、抗緑内障薬、神経保護薬、白内障予防または治療用の薬剤、抗増殖剤、抗腫瘍薬、補体阻害剤、ビタミン、成長因子、成長因子を阻害する薬剤、遺伝子治療ベクトル、化学療法剤、タンパク質キナーゼ阻害剤、低分子干渉ＲＮＡ、それらの類似体、誘導体、および修飾物、ならびにそれらの組み合わせから成る群より選択される、項目１に記載の統合デバイス。
（項目４１）
前記活性薬剤は、ラニビズマブ、ベバシズマブ、ペガプタニブ、デキサメタゾン、デキサメタゾンリン酸ナトリウム、トリアムシノロン、トリアムシノロンアセトニド、フルオシノロン、タキソール様薬剤、アフリバーセプト、酢酸アネコルタブ、およびリムス族化合物から成る群より選択される、項目１に記載の統合デバイス。
（項目４２）
前記リムス族化合物は、シロリムス、ＳＤＺ−ＲＡＤ、タクロリムス、エベロリムス、ピメクロリムス、ゾタロリムス、ＣＣＩ−７７９、ＡＰ２３８４１、およびＡＢＴ−５７８、それらの類似体、誘導体、複合体、塩、および修飾物、ならびにそれらの組み合わせから成る群より選択される、項目３６に記載の統合デバイス。
（項目４３）
前記貯留部は、環状オレフィン系樹脂でできている、項目１に記載の統合デバイス。
（項目４４）
前記貯留部は、シリコーン油またはその誘導体のうちの１つを欠いている、項目４０に記載の統合デバイス。
（項目４５）
前記測定構成要素は、前記接眼面に取り付けられる、項目１に記載の統合デバイス。
（項目４６）
前記測定構成要素は、１つ以上の半径方向に延在する部材を含む、項目１に記載の統合デバイス。
（項目４７）
前記１つ以上の半径方向に延在する部材は、高くなった遠位先端を含む、項目４６に記載の統合デバイス。
（項目４８）
前記１つ以上の半径方向に延在する部材は、可撓性である、項目４６に記載の統合デバイス。
（項目４９）
前記測定構成要素は、位置指示器構成要素を含む、項目４８に記載の統合デバイス。
（項目５０）
前記貯留部は、前記活性薬剤を事前装填されている、項目１に記載の統合デバイス。
（項目５１）
前記動的スリーブの前記近位端および遠位端のうちの１つは、先細である、項目３に記載の統合デバイス。
（項目５２）
眼内薬剤送達のための方法であって、
該方法は、
注入部位の場所を決定するために、測定構成要素を使用して眼の表面上に統合デバイスの接眼面を設置することであって、該統合デバイスは、筐体と、分注部材と、動的抵抗構成要素と、活性薬剤を保持するための貯留部と、作動機構とをさらに含む、ことと、
該動的抵抗構成要素を使用して、標的注入部位における該眼の表面に対して圧力を印加することと、
該作動機構を起動することによって、活性薬剤を該貯留部から該眼の中に送達することと
を含み、該設置するステップ、該印加するステップ、および該送達するステップは、片手で完了される、方法。
（項目５３）
前記注入部位は、縁の約１ｍｍ前方と縁の約６ｍｍ後方との間にある、項目５２に記載の方法。
（項目５４）
前記注入部位は、縁の約３ｍｍ前方と約４ｍｍ後方との間にある、項目５２に記載の方法。
（項目５５）
前記活性薬剤は、前記貯留部の中に事前装填される、項目５２に記載の方法。
（項目５６）
前記活性薬剤は、薬剤装填機構を使用して前記貯留部の中に装填される、項目５２に記載の方法。
（項目５７）
前記活性薬剤は、ステロイド性抗炎症薬、非ステロイド性抗炎症薬、抗感染薬、抗アレルゲン剤、コリン拮抗薬および作動薬、アドレナリン拮抗薬および作動薬、抗緑内障薬、神経保護薬、白内障予防または治療用の薬剤、抗増殖剤、抗腫瘍薬、補体阻害剤、ビタミン、成長因子、成長因子を阻害する薬剤、遺伝子治療ベクトル、化学療法剤、タンパク質キナーゼ阻害剤、低分子干渉ＲＮＡ、それらの類似体、誘導体、および修飾物、ならびにそれらの組み合わせから成る群より選択される、項目５２に記載の方法。
（項目５８）
前記活性薬剤は、ラニビズマブ、ベバシズマブ、ペガプタニブ、デキサメタゾン、デキサメタゾンリン酸ナトリウム、トリアムシノロン、トリアムシノロンアセトニド、フルオシノロン、タキソール様薬剤、アフリバーセプト、酢酸アネコルタブ、およびリムス族化合物から成る群より選択される、項目５２に記載の方法。
（項目５９）
前記リムス族化合物は、シロリムス、ＳＤＺ−ＲＡＤ、タクロリムス、エベロリムス、ピメクロリムス、ゾタロリムス、ＣＣＩ−７７９、ＡＰ２３８４１、およびＡＢＴ−５７８、それらの類似体、誘導体、複合体、塩、および修飾物、ならびにそれらの組み合わせから成る群より選択される、項目５８に記載の方法。
（項目６０）
前記活性薬剤は、黄斑浮腫、類嚢胞黄斑浮腫、糖尿病性黄斑浮腫、術後黄斑浮腫、網膜浮腫、加齢黄斑変性症、ＢＲＶＯ、ＣＲＶＯ、ブドウ膜炎、および中心性漿液性網脈絡膜症から成る群より選択される眼症状を治療するために使用される、項目５２に記載の方法。
（項目６１）
前記作動機構は、約１μｌ／秒から約１ｍｌ／秒までの範囲の速度で、前記活性薬剤を眼内空間の中に送達する、項目５２に記載の方法。
（項目６２）
前記作動機構は、約５μｌ／秒から約２００μｌ／秒までの範囲の速度で、前記活性薬剤を眼内空間の中に送達する、項目５２に記載の方法。
（項目６３）
前記作動機構は、約１０μｌ／秒から約１００μｌ／秒までの範囲の速度で、前記活性薬剤を眼内空間の中に送達する、項目５２に記載の方法。
（項目６４）
前記作動機構は、約０．１Ｎから約１．０Ｎまでの力を生成する、項目５２に記載の方法。
（項目６５）
前記動的抵抗構成要素は、前記統合デバイスの前記筐体に連結される摺動可能要素を含む、項目５２に記載の方法。
（項目６６）
前記摺動可能要素は、先細近位端および先細遠位端を有する動的スリーブを含む、項目６５に記載の方法。
（項目６７）
前記眼の表面に対して圧力を印加する前記ステップは、前記分注部材を露出するように前記摺動可能要素を後退させる、項目６５に記載の方法。
（項目６８）
前記活性薬剤を送達するプランジャの手動作動のステップをさらに含む、項目６７に記載の方法。
（項目６９）
前記眼の表面に対して圧力を印加する前記ステップは、前記動的抵抗構成要素の摺動可能な前進を含む、項目５２に記載の方法。
（項目７０）
前記動的スリーブの摺動可能な前進は、０Ｎから約２Ｎまでの範囲の力を、それ自身と前記筐体との間に生成する、項目６９に記載の方法。
（項目７１）
前記動的スリーブの摺動可能な前進は、約０．１Ｎから約１Ｎまでの範囲の力を、それ自身と前記筐体との間に生成する、項目６９に記載の方法。
（項目７２）
前記摺動可能な前進は、手動で調節可能である、項目６９に記載の方法。
（項目７３）
前記摺動可能な前進は、自動的に調節可能である、項目６９に記載の方法。
（項目７４）
前記動的抵抗構成要素は、眼壁張力制御機構を含む、項目５２に記載の方法。
（項目７５）
眼内薬剤送達のための統合デバイスであって、
該統合デバイスは、
片手で操作するようにサイズ決定および成形される筐体であって、該筐体は、近位端および遠位端を有する、筐体と、
該筐体の遠位端にある接眼面と、
測定構成要素と、
少なくとも部分的に該筐体内にある導管であって、該導管は、近位端、遠位端、および自身を通る管腔を有する、導管と、
該筐体内に含有される作動機構であって、該作動機構は、該導管および活性薬剤を保持するための貯留部に動作可能に接続される、作動機構と、
該筐体に連結されるトリガであって、該トリガは、該作動機構を起動するように構成される、トリガと、
該筐体に連結される眼壁張力制御機構と
を含む、統合デバイス。
（項目７６）
前記眼壁張力制御機構は、係止機構を有する摺動可能キャップを含む、項目７５に記載の統合デバイス。
（項目７７）
前記係止機構は、手動で操作される、項目７６に記載の統合デバイス。
（項目７８）
前記係止機構は、自動的に操作される機構である、項目７６に記載の統合デバイス。
（項目７９）
前記係止機構は、係止ピンを含む、項目７６に記載の統合デバイス。
（項目８０）
前記摺動可能キャップは、１つ以上の高牽引摩擦表面を含む、項目７６に記載の統合デバイス。
（項目８１）
前記１つ以上の高牽引摩擦表面は、前記摺動可能キャップの内面上に隆起を含む、項目８０に記載の統合デバイス。
（項目８２）
前記眼壁張力制御機構は、圧力センサを含む、項目７５に記載の統合デバイス。
（項目８３）
前記眼壁張力制御機構は、蓄圧器を含む、項目７５に記載の統合デバイス。
（項目８４）
眼内薬剤送達のための方法であって、
該方法は、
注入部位の場所を決定するために、測定構成要素を使用して、統合デバイスの接眼面を眼の表面上に設置することであって、該統合デバイスは、筐体と、分注部材と、眼壁張力制御構成要素と、活性薬剤を保持するための貯留部と、作動機構とをさらに含む、ことと
該眼壁張力制御構成要素を使用して、圧力を標的注入部位における該眼の表面に対して印加することと、
該作動機構を起動することによって、活性薬剤を該貯留部から該眼の中に送達することと
を含み、該設置するステップ、該印加するステップ、および該送達するステップは、片手で完了される、方法。
（項目８５）
圧力を前記眼の表面に対して印加する前記ステップは、前記眼壁張力制御構成要素の摺動可能な前進を含む、項目８４に記載の方法。
（項目８６）
前記眼壁張力制御機構の摺動可能な前進は、０Ｎから約２Ｎまでの範囲の力をそれ自身と前記筐体との間に生成する、項目８５に記載の方法。
（項目８７）
前記眼壁張力制御機構の摺動可能な前進は、約０．１Ｎから約１Ｎまでの範囲の力をそれ自身と前記筐体との間に生成する、項目８５に記載の方法。
（項目８８）
眼内薬剤送達のための注入デバイスであって、
該注入デバイスは、
片手で操作するようにサイズ決定および成形される筐体であって、該筐体は、近位端および遠位端を有する、筐体と、
該筐体の遠位端にある接眼面と、
少なくとも部分的に該筐体内にある導管であって、該導管は、近位端、遠位端、および自身を通る管腔を有する、導管と、
該筐体内に含有される作動機構であって、該作動機構は、該導管および活性薬剤を保持するための貯留部に動作可能に接続される、作動機構と、
該筐体に連結されるトリガであって、該トリガは、該作動機構を起動するように構成される、トリガと、
動的抵抗構成要素と
を含む、注入デバイス。
（項目８９）
前記動的抵抗構成要素は、近位端、遠位端、および内面を有する動的スリーブを含む、項目８８に記載の注入デバイス。
（項目９０）
前記動的スリーブの前記近位端および前記遠位端は、先細である、項目８９に記載の注入デバイス。
（項目９１）
前記動的スリーブの前記近位端および前記遠位端のうちの１つは、先細である、項目８９に記載の注入デバイス。
（項目９２）
前記動的スリーブの前記内面は、隆起を含む、項目８９に記載の注入デバイス。
（項目９３）
前記動的スリーブは、微細スリーブ移動度制御構成要素をさらに含む、項目８８に記載の注入デバイス。
（項目９４）
前記デバイスは、測定構成要素をさらに含む、項目８８に記載の注入デバイス。
本明細書において、医薬製剤を眼の中に送達するためのデバイス、方法、およびシステムが説明される。デバイスは、統合され得る。「統合」によって、例えば、安全、無菌、かつ正確な方式で、医薬製剤を眼の中に送達することに有益であり得る種々の特徴が、単一のデバイスに組み込まれることが意図される。例えば、所望の眼表面部位上の適切な配置を補助し、眼内空間が適正な角度でアクセスされるようにデバイスを設置することに役立ち、全薬剤注入中に設置されると、眼の表面上を移動または摺動することなくデバイス先端を安定して保つことに役立ち、眼圧を調整または制御し、および／または、例えば、薬剤注入あるいは眼壁自体の接触または貫通の力による外傷を最小化することに役立ち得る特徴が、単一のデバイスに組み込まれてもよい。より具体的には、統合デバイスは、標的組織との直接接触による、あるいは別の組織もしくは眼壁または硝子体ゲル等の組織を通る力伝達を間接的に通した外傷を最小化する際に、ならびに、角膜、結膜、上強膜、強膜、および網膜、脈絡膜、毛様体、および水晶体を含むが、それらに限定されない眼内構造、ならびにこれらの構造と関連付けられる血管および神経への外傷を最小化する際に使用されてもよい。眼内炎等の眼内感染性炎症の危険を低減することに有益であり得る特徴、および苦痛を低減し得る特徴も含まれてもよい。医薬製剤は、眼内の任意の好適な標的場所、例えば、前房または後房に送達されてもよいことを理解されたい。さらに、医薬製剤は、任意の好適な活性薬剤を含んでもよく、任意の好適な形態を成してもよい。例えば、医薬製剤は、固体、半固体、液体等であってもよい。医薬製剤はまた、任意の好適な種類の放出のために適合されてもよい。例えば、それらは、即時放出、制御放出、遅延放出、持続放出、またはボーラス放出様式で活性薬剤を放出するように適合されてもよい。